(57)【要約】【課題】機器の動作状態をユーザに対して容易に把握させ得るようにする。【解決手段】電子機器の前面パネル５と後面パネル６との相対位置を変位可能に構成し、ユーザ操作による前面パネル５の変位量に応じて電子機器の設定値を変化させるようにした。これにより、前面パネル５の変位すなわち電子機器の全体形状の変化を通じて当該電子機器の動作状態をユーザに容易かつ確実に通知することができる。【選択図】図６
2007164546.tif 000002
【特許請求の範囲】
【請求項１】
設定値に応じた動作を行う電子機器であって、
第１の筐体と、
上記第１の筐体に対して変位自在に支持された第２の筐体と、
上記第１の筐体に対する上記第２の筐体の変位量に応じて上記設定値を変更する制御手段と
を具えることを特徴とする電子機器。
【請求項２】
上記第２の筐体を上記第１の筐体に対して移動させる移動操作を入力する操作入力手段と、
上記入力された移動操作に応じて上記第２の筐体を上記第１の筐体に対して移動させる駆動手段と
を具えることを特徴とする請求項１に記載の電子機器。
【請求項３】
電子機器の動作状態を制御する設定値に応じて、当該電子機器の筐体の一部を、当該筐体の他の部分から変位させて上記動作状態を表示する
ことを特徴とする電子機器の状態表示方法。
【請求項４】
電子機器の第１の筐体と、当該第１の筐体に対して変位自在に支持された当該電子機器の第２の筐体との間の変位量に応じて、当該電子機器の動作状態を変更する
ことを特徴とする電子機器の制御方法。
【発明の詳細な説明】
【技術分野】
【０００１】
本発明は、オーディオ装置等の電子機器に適用して好適なものである。
【背景技術】
【０００２】
従来、オーディオ装置やディジタルカメラ等の各種電子機器では、装置自体の動作状態をユーザに通知するための表示部を具えている。
【０００３】
一般に表示部は液晶ディスプレイや発光ダイオード等で構成され、映像や文字列等を表示することにより機器の動作状態をユーザに認識させる。また電子機器には、各種操作を入力するための各種操作手段（例えばスライドスイッチやトグルスイッチ、ダイヤル等）が設けられており、ユーザは当該操作手段の位置に基づいて、機器の動作状態を認識することもできる（例えば、特許文献１参照）。
【特許文献１】特開２００５−０６３２３０公報
【発明の開示】
【発明が解決しようとする課題】
【０００４】
一般に、上述した表示部や操作手段は電子機器の筐体表面に設けられるが、当該筐体表面の面積には限りがある。このため、表示部や操作手段の大きさにも制限が課せられ、これによりユーザが電子機器の動作状態を確認する際の視認性が低下し、当該動作状態を一目で把握することが困難であるという問題があった。
【０００５】
本発明は以上の点を考慮してなされたもので、動作状態をユーザに対して容易に通知させることができる電子機器、電子機器の状態表示方法及び電子機器の制御方法を提案しようとするものである。
【課題を解決するための手段】
【０００６】
かかる課題を解決するため本発明の電子機器においては、設定値に応じた動作を行う電子機器であって、第１の筐体と、第１の筐体に対して変位自在に支持された第２の筐体と、第１の筐体に対する第２の筐体の変位量に応じて上記設定値を変更する制御手段と電子機器に設けた。
【０００７】
さらに、第２の筐体を第１の筐体に対して移動させる移動操作を入力する操作入力手段と、入力された移動操作に応じて第２の筐体を第１の筐体に対して移動させる駆動手段とを電子機器に設けた。
【０００８】
これにより、電子機器全体の形状変化を通じて当該電子機器の動作状態をユーザに認識させることができる。
【０００９】
また、本発明の電子機器の状態表示方法においては、電子機器の動作状態を制御する設定値に応じて、当該電子機器の筐体の一部を、当該筐体の他の部分から変位させて動作状態を表示するようにした。
【００１０】
これにより、電子機器全体の形状変化を通じて当該電子機器の動作状態をユーザに認識させることができる。
【００１１】
また、本発明の電子機器の制御方法においては、電子機器の第１の筐体と、当該第１の筐体に対して変位自在に支持された当該電子機器の第２の筐体との間の変位量に応じて、当該電子機器の動作状態を変更するようにした。
【発明の効果】
【００１２】
本発明によれば、電子機器全体の形状変化を通じて当該電子機器の動作状態をユーザに認識させることができ、かくして動作状態をユーザに対して容易に通知させることができる電子機器を実現できる。
【発明を実施するための最良の形態】
【００１３】
以下図面について、本発明の一実施の形態を詳述する。
【００１４】
（１）オーディオ装置の全体構成
図１において、１は本発明を適用した電子機器としてのオーディオ装置を示し、当該オーディオ装置１の主要部分を内蔵した本体２が、台座３に凸設された支柱４に指示されて構成される。
【００１５】
本体２は扁平な箱状でなり、その前面に設けられた長方形の平板状でなる前面パネル５の中央部に、当該オーディオ装置１の動作状態を文字列等を用いて表示する略正方形の表示部８が設けられている。
【００１６】
当該表示部８の上下左右の各辺の中央には、赤外線によって物体の接近を検出する４個のタッチセンサ８Ａが設けられており、ユーザは任意のタッチセンサ８Ａに指先等を近接させることにより、オーディオ装置１に対して操作入力を行うことができる。また、表示部８における各タッチセンサ８Ａの近傍には、例えばＬＥＤ（Light Emitting Diode）でなる発光手段（図示せず）がそれぞれ設けられており、タッチセンサ８Ａが操作入力を認識したとき、対応する発光手段を発光させることにより、ユーザに対して当該操作入力が受け付けられたことを通知するようになされている。
【００１７】
前面パネル５の背面側には、当該前面パネル５と略同一形状を有する後面パネル６が重ねて設けられている。詳しくは後述するが、第２の筐体としての前面パネル５は、第１の筐体としての後面パネル６との相対位置を当該後面パネル６に沿って所定範囲内だけ変位し得るようになされている。
【００１８】
さらに、後面パネル６の背面側には箱状の機器収納部７が設けられており、支柱４は当該機器収納部７に結合されている。機器収納部７には、その左右両側面にスピーカ９が設けられているとともに、図示しないがオーディオ信号の入出力端子やネットワーク端子、電源ケーブル、電源ボタンや各種スイッチ等も設けられている。
【００１９】
オーディオ装置１はユーザ操作に応じて、内蔵するハードディスクドライブに格納されたオーディオデータを読み出して順次スピーカ９から再生していく。
【００２０】
また機器収納部７の内部には、オーディオ装置１の電子回路（図示せず）や、上述した前面パネル５を後面パネル６に対して変位させるための駆動部１０が内蔵されている（図２）。駆動部１０は、前面パネル５を支持するためのパネル支持部２２を有しており、図示しない取付ボルトを介して前面パネル５と結合される。駆動部１０は、後述する動作状態表示プログラムの制御に応じて、パネル支持部２２を上下左右に駆動することにより、前面パネル５を後面パネル６に対して変位させるようになされている。
【００２１】
図３に示すように駆動部１０は、主ベース２０に対して横方向駆動部３０と横方向支持部３５が取り付けられている。
【００２２】
横方向駆動部３０の送りねじ３１は、主ベース２０に取り付けられた２個のベアリング３２によって回転自在に支持されており、当該送りねじ３１には、副ベース２１の一端に固定された送りナット３３が噛合している。一方、横方向支持部３５のガイド軸３６は、主ベース２０に取り付けられた２個の軸支持部３７によって送りねじ３１と平行に固定支持されており、当該ガイド軸３６には、ガイド軸３６の軸方向に往復自在でなる２個のスライドベアリング３８が取り付けられている。このスライドベアリング３８は副ベース２１の他端に固定されており、これにより副ベース２１は、横方向駆動部３０及び横方向支持部３５を介して主ベース２０に結合されている。
【００２３】
ここで、横方向駆動部３０の送りモータ３４は、後述する制御部１１（図４）の制御に応じて送りねじ３１を回転駆動する。この送りねじ３１の回転によって送りナット３３は副ベース２１と共に当該送りねじ３１の軸方向に直線移動し、これにより副ベース２１は横方向駆動部３０によって横方向に往復駆動される。
【００２４】
かかる構成に加えて副ベース２１には、縦方向駆動部４０と縦方向支持部４５が、上述した横方向駆動部３０及び横方向支持部３５に対して直交するように取り付けられている。
【００２５】
縦方向駆動部４０の送りねじ４１は、副ベース２１に取り付けられた２個のベアリング４２によって回転自在に支持されており、当該送りねじ４１には、パネル支持部２２の一端に固定された送りナット４３が噛合している。一方、縦方向支持部４５のガイド軸４６は、副ベース２１に取り付けられた２個の軸支持部４７によって送りねじ４１と平行に固定支持されており、当該ガイド軸４６には、ガイド軸４６の軸方向に往復自在でなる２個のスライドベアリング４８が取り付けられている。このスライドベアリング４８はパネル支持部２２の他端に固定されており、これによりパネル支持部２２は、縦方向駆動部４０及び縦方向支持部４５を介して副ベース２１に結合されている。
【００２６】
縦方向駆動部４０の送りモータ４４は、制御部１１の制御に応じて送りねじ４１を回転駆動する。この送りねじ４１の回転によって送りナット４３はパネル支持部２２と共に当該送りねじ４１の軸方向に直線移動し、これによりパネル支持部２２は縦方向駆動部４０によって、上述した副ベース２１の移動方向に対して直交する縦方向に往復駆動される。
【００２７】
かくして駆動部１０は、制御部１１の制御に応じて、パネル支持部２２を横方向及び縦方向に移動させ、当該パネル支持部２２に結合された前面パネル５を後面パネル６に対して変位させる。このように前面パネル５は、後面パネル６に対して平行に、平面的（２次元的）に変位する。これに加えて駆動部１０は、主ベース２０に対する副ベース２１の横方向の変位量を検出して制御部に通知する横変位検出器５１と、副ベース２１に対するパネル支持部２２の縦方向の変位量を検出して制御部１１に通知する縦変位検出器５２とを有している。
【００２８】
（２）オーディオ装置の回路構成
次に、オーディオ装置１の回路構成を図４を用いて説明する。オーディオ装置１は、当該オーディオ装置１全体を統括的に制御する制御部１１に対し、バス１８を介してＲＯＭ（Read Only Memory）１２、ＲＡＭ（Random-Access Memory）１３、ハードディスクドライブ１４、ネットワークインターフェース１５、表示部８、駆動部１０、操作部１６及び音声処理部１７が接続されて構成される。
【００２９】
制御部１１はＣＰＵ（Central Processing Unit）構成でなり、ＲＯＭ１２やハードディスクドライブ１４に格納されている各種プログラムを読み出してＲＡＭ１３上で実行することにより、制御部１１の各種機能を実現するようになされている。
【００３０】
すなわち制御部１１は、図示しない電源スイッチの押下操作によってオーディオ装置１が起動されると、基本プログラムをＲＯＭ１２から読み出してＲＡＭ１３上で実行し、当該基本プログラムの制御下で、操作部８Ａを介して入力されるユーザ操作に応じてオーディオ装置１の各部を制御する。
【００３１】
またオーディオ装置１は、ネットワークインターフェース１５を介して、図示しないネットワーク上のコンピュータや各種サーバ等の各種ネットワーク機器と接続し得るようになされており、これらのネットワーク機器との間でオーディオデータを送受したり、外部のネットワーク機器から当該オーディオ装置１を遠隔操作したりすることができる。
【００３２】
ハードディスクドライブ１４には、上述した各種プログラムに加えて大量のオーディオデータを格納することができる。そして制御部１１は、操作部１６を介してユーザによるオーディオデータの再生操作を受け付けると、これに応じてオーディオ再生プログラムを起動し、ハードディスクドライブ１４からオーディオデータを適宜読み出して音声処理部１７で復号しスピーカ９から音声として再生する。
【００３３】
（３）再生配分及び再生年代に応じたオーディオデータの再生
ここでオーディオ装置１は、上述したオーディオ再生プログラムに従ってハードディスクドライブ１４からオーディオデータを読み出して再生する際、ユーザによって設定された再生配分及び再生年代に基づき、オーディオデータをその種別及び年代に応じて順次選択して再生していくようになされている。
【００３４】
すなわちこのオーディオ装置１は、ハードディスクドライブ１４に格納されているオーディオデータを、「音楽コンテンツ」と「プライベートサウンド」の２つの種別に分けて認識している。音楽コンテンツは、音楽ＣＤ（Compact Disc）やネットワーク上の音楽サーバ等から取得した既存の音楽のデータである。一方プライベートサウンドは、ユーザが自分で録音した私的な音データ（例えば鳥の鳴き声や波の音、街角の雑音等）であり、１０〜２０秒程度の比較的短い録音時間でなる。
【００３５】
オーディオ装置１は、音楽コンテンツ及びプライベートサウンドを、ユーザによって設定された再生配分に応じた再生頻度でそれぞれ再生していく。この再生配分は、初期状態として「音楽コンテンツ５０％：プライベートサウンド５０％」が設定されており、この初期値の場合オーディオ装置１は、音楽コンテンツ及びプライベートサウンドをそれぞれ５０％の再生頻度で再生していく（すなわち、音楽コンテンツ及びプライベートサウンドを１回ずつ交互に再生する）。
【００３６】
そして、ユーザによって再生配分が変更されると、オーディオ装置１は変更された再生配分に応じた再生頻度で音楽コンテンツ及びプライベートサウンドを再生していく。例えば、再生配分が「音楽コンテンツ７５％：プライベートサウンド２５％」に設定された場合、オーディオ装置１は７５％の再生頻度で音楽コンテンツを再生するとともに、２５％の再生頻度でプライベートサウンドを再生していく（すなわち、音楽コンテンツを３回再生する度にプライベートサウンドを１回再生する）。また、再生配分が「音楽コンテンツ１００％：プライベートサウンド０％」に設定された場合、オーディオ装置１は１００％の再生頻度で音楽コンテンツのみを再生する。
【００３７】
これに加えて各オーディオデータには、そのデータが作成された時刻情報が付されている。音楽コンテンツの時刻情報は、その音楽が発表された年月日やＣＤが発売された年月日等、当該音楽が属する時代を表すものである。また、プライベートサウンドの時刻情報は、その音をユーザが録音した時の日時を表すものである。
【００３８】
オーディオ装置１は、ユーザによって設定された再生年代を中心とした所定範囲内（例えば前後２年間）の時刻情報を持つ音楽コンテンツ及びプライベートサウンドをハードディスクドライブ１４から抽出し、当該抽出した音楽コンテンツ及びプライベートサウンドを、上述した再生配分に応じた再生頻度で再生していく。
【００３９】
かくしてオーディオ装置１は、ハードディスクドライブ１４に格納されている大量のオーディオデータを、設定された再生配分及び再生年代に基づいて順次選択して再生する。
【００４０】
（４）再生配分及び再生年代の設定方法と表示方法
次に、このオーディオ装置１における再生配分及び再生年代の設定操作方法について説明する。上述したようにオーディオ装置１は、前面パネル５に設けられた表示部８の上下左右に、４個のタッチセンサ８Ａを有している。
【００４１】
そしてオーディオ装置１の制御部１１は、４個のタッチセンサ８Ａの何れかが指等の接近を検出すると、この操作に応じて駆動部１０を制御し、当該接近を検出したタッチセンサ８Ａの方向へ前面パネル５を移動させる（図５）。例えば上側のタッチセンサ８Ａが接近を検出した場合、制御部１１は、前面パネル５を上方へ所定量だけ移動させる。この状態から、再度上側のタッチセンサ８Ａが接近を検出した場合、制御部１１は、前面パネル５を上方へ所定量だけ再移動させる。
【００４２】
このようにオーディオ装置１のユーザは、任意のタッチセンサ８Ａを操作することにより、前面パネル５を後面パネル６に対して所望の方向に所望量だけ移動させることができる。
【００４３】
これに加えてこのオーディオ装置１では、後面パネル６に対する前面パネル５の変位量が、上述したオーディオデータの再生配分及び再生年代に対応している。すなわち図６に示すように、前面パネル５の上下方向の変位はオーディオデータの再生配分に対応しており、前面パネル５の変位量が上下左右とも「０」の基準位置（すなわち、前面パネル５と後面パネル６とが完全に重なった状態）では、再生配分は「音楽コンテンツ５０％：プライベートサウンド５０％」であり、再生年代は所定の初期設定年代（例えば１０年前）に設定される。
【００４４】
そして、前面パネル５が上方向に変位すると、これに応じてプライベートサウンドの再生頻度が増加するとともに音楽コンテンツの再生頻度が減少し、前面パネル５が上限まで変位した状態ではプライベートサウンドの再生頻度が１００％となる。また、前面パネル５が下方向に変位すると、これに応じてプライベートサウンドの再生頻度が減少するとともに音楽コンテンツの再生頻度が増加し、前面パネル５が下限まで変位した状態では音楽コンテンツの再生頻度が１００％となる。
【００４５】
また、前面パネル５の左右方向の変位はオーディオデータの再生年代に対応しており、当該前面パネル５が右方向に変位すると、これに応じて再生年代が新しくなる（すなわち現代に近づく）のに対し、前面パネル５が左方向に変位すると、これに応じて再生年代が古くなる（すなわち過去に遡る）。
【００４６】
かくしてオーディオ装置１のユーザは、任意のタッチセンサ８Ａを操作して前面パネル５を変位させることにより、オーディオデータを再生する際の再生配分及び再生年代を設定することができる。
【００４７】
この状態において、後面パネル６に対する前面パネル５の直交する縦方向及び横方向の変位量は、上述した再生配分及び再生年代という２つの設定値を視覚的に表している。このためオーディオ装置１は、当該再生配分及び再生年代に基づくオーディオデータの再生動作状態を、前面パネル５と後面パネル６との変位を通じて、ユーザに容易かつ確実に通知することができる。
【００４８】
（５）動作及び効果
以上の構成において、このオーディオ装置１は、ユーザによるタッチセンサ８Ａに対する操作に応じて、本体２の前面パネル５全体を直交する縦方向及び横方向に変位させるとともに、当該縦方向及び横方向の変位量に応じてオーディオデータの再生配分及び再生年代を変更し、当該変更された再生配分及び再生年代に基づいて音楽コンテンツ及びプライベートサウンドをハードディスクドライブ１４から読み出して再生する。
【００４９】
これによりこのオーディオ装置１は、再生配分及び再生年代に基づくオーディオデータの再生動作状態といった、当該オーディオ装置１そのものの動作状態を、前面パネル５の後面パネル６に対する変位、すなわちオーディオ装置１の全体形状の変化を通じて、ユーザに容易かつ確実に通知することができる。
【００５０】
そしてオーディオ装置１では、ユーザは前面パネル５を物理的に変位させて再生配分及び再生年代の設定を変化させるとともに、当該前面パネル５の変位量そのものに基づいて再生配分及び再生年代の設定を認識することができるから、従来の電子機器に比してより直感的な操作が可能となる。
【００５１】
さらにオーディオ装置１では、後面パネル６に対する前面パネル５の２次元的な変位について、直交する２つの方向の変位をそれぞれ再生配分及び再生年代に対応づけることにより、独立した再生配分及び再生年代の２つの設定を、前面パネル５の変位のみでユーザに認識させることができる。
【００５２】
（６）他の実施の形態
なお上述の実施の形態においては、前面パネル５の変位をオーディオデータ再生における再生配分及び再生年代の２つのパラメータに対応させるようにしたが、本発明はこれに限らず、例えばボリュームやイコライジングといった音量や音質に関する設定値等、この他種々の設定値を前面パネル５の変位に対応させるようにしても良い。
【００５３】
また上述の実施の形態の駆動部１０では、横方向駆動部３０及び横方向支持部３５によって副ベース２１を主ベース２０に対して横方向に往復自在に支持するとともに、縦方向駆動部４０及び縦方向支持部４５によってパネル支持部２２を副ベース２１に対して縦方向に往復自在に支持することにより、パネル支持部２２を主ベース２０に対して上下左右に変位可能に構成したが、本発明はこれに限らず、例えばパネル支持部２２と主ベース２０との間をリンク等で結合して、当該パネル支持部２２を主ベース２０に対して上下左右に変位可能にする等、この他種々の構成の駆動部を用いることができる。
【００５４】
また上述の実施の形態の駆動部１０では、主ベースに対するパネル支持部２２の変位（すなわち前面パネル５の変位）を、横変位検出器５１及び縦変位検出器５２によって縦方向と横方向で個別に検出するようにしたが、本発明はこれに限らず、例えば図７（Ａ）〜図７（Ｄ）に示すような種々の変位検出手段を用いて変位を検出するようにしてもよい。なお、図７（Ａ）〜図７（Ｄ）では、主ベース２０及びパネル支持部２２と変位検出手段のみを示し、横方向駆動部３０、横方向支持部３５、縦方向駆動部４０及び縦方向支持部４５は省略している。
【００５５】
図７（Ａ）は、変位検出手段として感圧センサ５３を用いたものである。この感圧センサ５３は主ベース２０に固定されているとともに、プローブ５３Ａがパネル支持部２２に固定されており、当該プローブ５３Ａの先端が感圧センサ５３の圧力検出面に接触するよう構成されている。そして感圧センサ５３は、プローブ５３Ａの接触位置を接触圧に基づいて検出し、この接触位置に基づいて、パネル支持部２２の縦方向及び横方向の位置情報を制御部１１に供給する。
【００５６】
図７（Ｂ）は、変位検出手段としてトラックボール５４を用いたものである。このトラックボール５４は主ベース２０に固定されており、その検出ボール５４Ａはパネル支持部２２の裏面に接触して当該パネル支持部２２の変位に応じて回転するようになされている。そしてトラックボール５４は、検出ボール５４Ａの回転量に基づいて検出したパネル支持部２２の縦方向及び横方向の位置情報を制御部１１に供給する。
【００５７】
図７（Ｃ）は、変位検出手段として光学センサ５５を用いたものである。この光学センサ５５は主ベース２０に固定されており、例えばレーザ光をパネル支持部２２の裏面に照射し、その反射光の変化に基づいて検出したパネル支持部２２の縦方向及び横方向の位置情報を制御部１１に供給する。
【００５８】
図７（Ｄ）は、変位検出手段として２組のロータリーエンコーダ５６を用いたものである。このロータリーエンコーダ５６は、それぞれパネル支持部２２の縦方向及び横方向の移動量を検出ギヤの回転角度として検出し、この回転角度に基づいて検出したパネル支持部２２の縦方向及び横方向の位置情報を制御部１１に供給する。
【００５９】
また上述の実施の形態においては、２枚重ねに構成された平板状の前面パネル５と後面パネル６とを変位自在に構成し、その変位量に基づいて設定値を変化させるようにしたが、本発明はこれに限らず、装置全体の形状を変化し得るような構成の種々の電子機器に本発明を適用することができる。
【００６０】
また上述の実施の形態においては、タッチセンサ８Ａに対する操作に応じて、制御部１１が駆動部１０を制御して前面パネル５を変位させるようにしたが、本発明はこれに限らず、ユーザが前面パネル５を手動で変位させるようにしてもよい。この場合でも、制御部１１は前面パネル５の変位量に応じて再生配分及び再生年代を変更することができるとともに、ユーザは当該再生配分及び再生年代の設定を認識することができる。
【００６１】
さらに、この場合駆動部１０を省略することができることから、オーディオ装置１全体の構成を簡素かつ小型化することができ、これにより携帯型オーディオプレーヤーなどの小型の電子機器にも本発明を適用することができる。そして、小型の電子機器では表示部やスイッチ等も小型になり、その視認性が低下してしまうが、本発明を適用することで小型の電子機器における動作状態の視認性を格段に向上することができる。
【００６２】
また上述の実施の形態においては、本発明をオーディオ装置に適用した場合について述べたが、本発明はこれに限らず、例えばディジタルカメラや携帯電話機等、種々の電子機器における動作状態表示に適用することができる。
【図面の簡単な説明】
【００６３】
【図１】本発明によるオーディオ装置の全体構成を示す略線図である。
【図２】本体の構成を示す略線図である。
【図３】駆動部の詳細な構成を示す略線図である。
【図４】オーディオ装置の回路構成を示すブロック図である。
【図５】タッチセンサに対する操作と前面パネルの変位の説明に供する略線図である。
【図６】前面パネルの変位と設定値の説明に供する略線図である。
【図７】他の実施の形態による変位検出手段の説明に供する略線図である。
【符号の説明】
【００６４】
１……オーディオ装置、２……本体、３……台座、４……支柱、５……前面パネル、６……後面パネル、７……機器収納部、８……表示部、８Ａ……タッチセンサ、９……スピーカ、１０……駆動部、１１……制御部、１２……ＲＯＭ、１３……ＲＡＭ、１４……ハードディスクドライブ、１５……ネットワークインターフェース、１６……操作部、１７……音声処理部、１８……バス。
【図１】
2007164546.tif 000003
【図２】
2007164546.tif 000004
【図３】
2007164546.tif 000005
【図４】
2007164546.tif 000006
【図５】
2007164546.tif 000007
【図６】
2007164546.tif 000008
【図７】
2007164546.tif 000009